(57)【要約】【課題】包装のときに端部の浮き上がりを抑制した包装シートを提供する。【解決手段】棒状部材を包むための包装シート１であって、棒状部材を巻き付ける方向である矢印４３に示す巻き方向を有する。棒状部材を巻き始める側の端部である第１端部９を有する。第１端部９と反対側の第２端部１９を有する。第１端部９は、第１端部９の幅方向の略中央部に配置され、巻き方向の外側に飛び出すように形成された第１突起部２を有する。【選択図】図１
2007186238.tif 000002
【特許請求の範囲】
【請求項１】
円柱状部材を包むための包装シートであって、
前記円柱状部材を巻きつける方向である巻き方向および前記巻き方向に垂直な幅方向を有し、
円柱状部材の前記巻き方向の一方の端部である第１端部と、
前記第１端部の反対側の第２端部と
を有し、
前記第１端部は、前記幅方向の外側に向かって傾斜する第１テーパ部と、
前記第１端部の前記幅方向の略中央部に配置され、前記巻き方向の外側に飛び出すように形成された第１突起部と
を有し、
前記第２端部は、前記幅方向の外側に向かって傾斜する第２テーパ部と、
前記第２端部の前記幅方向の略中央部に配置され、前記巻き方向の外側に飛び出すように形成された第２突起部と
を有し、
前記第１突起部は、縁の幅が略１０ｍｍ以上略２０ｍｍ以下になるように形成され、
前記第２突起部は、縁の幅が略２０ｍｍ以上略３０ｍｍ以下になるように形成され、
前記第１テーパ部および前記第２テーパ部は、それぞれが前記幅方向に対する傾斜角度が１０°以上４５°以下になるように形成され、
前記第１突起部を前記円柱状部材に当接させながら包みはじめ、前記第２突起部を粘着テープで固定することにより、前記包装シートの角になる部分の捲くれ上がりを抑制した、包装シート。
【請求項２】
被包装部材を包むための包装シートであって、
前記被包装部材を巻き付ける方向である巻き方向を有し、
前記被包装部材を巻き始める側の端部である第１端部と、
前記第１端部と反対側の第２端部と
を有し、
前記第１端部は、前記第１端部の幅方向の略中央部に配置され、前記巻き方向の外側に飛び出すように形成された第１突起部を有する、包装シート。
【請求項３】
前記第１端部は、前記幅方向の外側に向かって傾斜する第１テーパ部を有する、請求項２に記載の包装シート。
【請求項４】
前記第１突起部は、縁の幅が略１０ｍｍ以上略２０ｍｍ以下になるように形成された、請求項２または３に記載の包装シート。
【請求項５】
前記第２端部は、前記幅方向の外側に向かって傾斜する第２テーパ部と、
前記第２端部の前記幅方向の略中央部に配置され、外側に飛び出すように形成された第２突起部と
を有する、請求項２から４のいずれかに記載の包装シート。
【請求項６】
前記第２突起部は、縁の幅が略２０ｍｍ以上略３０ｍｍ以下になるように形成された、請求項５に記載の包装シート。
【発明の詳細な説明】
【技術分野】
【０００１】
本発明は、包装シートに関する。
【背景技術】
【０００２】
ローラやロール紙などの長手方向を有する棒状部材は、販売したり搬送したりするときに、包装シートで巻かれることによって包装される場合がある。この包装シートは、紙などで形成されている。棒状部材は、長手方向に垂直な方向に巻かれることにより包装シートに包まれる。
【０００３】
図５に、従来の技術に基づく棒状部材の包装シートの平面図を示す。包装シート３１は、平面形状がほぼ長方形に形成されている。矢印４２に示す方向が、包装シート３１の幅方向である。矢印４３に示す方向が、棒状部材を包装シート３１で包むときの巻き方向である。
【０００４】
包装シート３１は、巻き方向における一方の端部である第１端部３４を有する。第１端部３４は、包装シート３１を巻き始める側の端部である。第１端部３４は、第１角部３２を有する。第１角部３２は、平面視したときに直角に折れ曲がる形状を有する。
【０００５】
包装シート３１は、巻き方向における他方の端部である第２端部３５を有する。第２端部３５は、包装シート３１を巻き終える側の端部である。第２端部３５は、第２角部３３を有する。第２角部３３は、平面形状が直角になるように形成されている。
【０００６】
図６に、従来の技術における棒状部材を包装シートで包装するときの第１工程説明図を示す。包装シート３１の第１端部３４の表面に棒状部材２１を配置する。この棒状部材２１は、円柱状に形成されている。包装シート３１の第１端部３４を指５１で押えながら棒状部材２１を転がす。矢印４３に示すように棒状部材２１を包装シート３１で包んでいく。
【０００７】
図７に、従来の技術における棒状部材を包装シートで包装するときの第２工程説明図を示す。棒状部材２１を包装シート３１で完全に包んだ後には、包装シート３１の第２端部３５を粘着テープ２２で固定する。包装シート３１の幅方向のほぼ中央部分を粘着テープ２２で固定する。
【０００８】
特開２００２−１６０７８５号公報においては、円筒状電子写真用感光体に、遮光性の保護シートを巻き付けてこれを覆い、このシートの端部を粘着テープにより固定してなる感光体の保護シートによる梱包方法が開示されている。この公報においては、粘着力が所定の値の粘着テープを採用することにより、粘着テープへの印刷表示性能が良好で、かつ剥離性能に関して良好な粘着力を示す保護シートによる梱包方法を提供することが可能になると開示されている。
【特許文献１】特開２００２−１６０７８５号公報
【発明の開示】
【発明が解決しようとする課題】
【０００９】
図６を参照して、従来の技術の包装においては、包装シート３１で棒状部材２１を巻き始めたときに、紙の弾性のために第１端部３４の第１角部３２が棒状部材２１から浮き上がってしまう。すなわち、包装シート３１の端部が捲れ上がってしまう。この浮き上がった部分が抵抗となって、棒状部材２１を包装シート３１で包むことが難しい場合がある。
【００１０】
または、棒状部材２１を包装シート３１で包んだときに、包装シート３１全体を棒状部材２１に密着させることができずに、包装シート３１が棒状部材２１から浮いてしまうことがあった。
【００１１】
さらに、第１端部３４の幅方向の両側の第１角部３２が浮き上がったまま包装シート３１の包装を継続すると、第１角部３２が巻く向きと逆向きに折れ曲がってしまってしまうという問題があった。
【００１２】
図７を参照して、包装シート３１で棒状部材２１を包み、粘着テープ２２で固定したときに、第２端部３５の第２角部３３が浮き上がってしまうという問題がある。第２角部３３が浮き上がった状態で棒状部材の搬送等を行なうと、第２角部３３が折れ曲がってしまったり、第２角部３３に力が加わって粘着テープ２２に沿って包装シート３１が破れてしまったりするという問題があった。
【００１３】
本発明は、包装のときに端部の浮き上がりを抑制した包装シートを提供することを目的とする。
【課題を解決するための手段】
【００１４】
本発明に基づく一の局面における包装シートは、円柱状部材を包むための包装シートであって、上記円柱状部材を巻きつける方向である巻き方向および上記巻き方向に垂直な幅方向を有する。円柱状部材の上記巻き方向の一方の端部である第１端部を有する。上記第１端部の反対側の第２端部を有する。上記第１端部は、上記幅方向の外側に向かって傾斜する第１テーパ部を有する。上記第１端部の上記幅方向の略中央部に配置され、上記巻き方向の外側に飛び出すように形成された第１突起部を有する。上記第２端部は、上記幅方向の外側に向かって傾斜する第２テーパ部を有する。上記第２端部の上記幅方向の略中央部に配置され、上記巻き方向の外側に飛び出すように形成された第２突起部を有する。上記第１突起部は、縁の幅が略１０ｍｍ以上略２０ｍｍ以下になるように形成されている。上記第２突起部は、縁の幅が略２０ｍｍ以上略３０ｍｍ以下になるように形成されている。上記第１テーパ部および上記第２テーパ部は、それぞれが上記幅方向に対する傾斜角度が１０°以上４５°以下になるように形成されている。上記第１突起部を上記円柱状部材に当接させながら包みはじめ、上記第２突起部を粘着テープで固定することにより、上記包装シートの角になる部分の浮き上がりを抑制するように形成されている。
【００１５】
本発明に基づく他の局面における包装シートは、被包装部材を包むための包装シートであって、上記被包装部材を巻き付ける方向である巻き方向を有する。上記被包装部材を巻き始める側の端部である第１端部を有する。上記第１端部と反対側の第２端部を有する。上記第１端部は、上記第１端部の幅方向の略中央部に配置され、上記巻き方向の外側に飛び出すように形成された第１突起部を有する。
【００１６】
上記発明において好ましくは、上記第１端部は、上記幅方向の外側に向かって傾斜する第１テーパ部を有する。
【００１７】
上記発明において好ましくは、上記第１突起部は、縁の幅が略１０ｍｍ以上略２０ｍｍ以下になるように形成されている。
【００１８】
上記発明において好ましくは、上記第２端部は、上記幅方向の外側に向かって傾斜する第２テーパ部を有する。上記第２端部の上記幅方向の略中央部に配置され、外側に飛び出すように形成された第２突起部を有する。
【００１９】
上記発明において好ましくは、上記第２突起部は、縁の幅が略２０ｍｍ以上略３０ｍｍ以下になるように形成されている。
【発明の効果】
【００２０】
本発明によれば、包装のときに端部の浮き上がりを抑制した包装シートを提供することができる。
【発明を実施するための最良の形態】
【００２１】
図１から図４を参照して、本発明に基づく実施の形態における包装シートについて説明する。本実施の形態における被包装部材は、長手方向を有する棒状部材である。本実施の形態における棒状部材は、プリンタ装置やファックス装置などに用いられる搬送ローラである。
【００２２】
図１は、本実施の形態における包装シートの平面図である。本実施の形態における包装シート１は、紙で形成されている。本実施の形態においては、棒状部材の長手方向と包装シート１の幅方向とが略平行になるように、包装シート１の表面に棒状部材を配置する。棒状部材を転がして包装シート１を巻くことにより包装を行なう。
【００２３】
包装シート１は、本体部１０を有する。本体部１０は、棒状部材を包む主な部分である。本実施の形態における本体部１０は、略長方形に形成されている。矢印４３は、包装シートを巻く方向である巻き方向を示す。包装シート１は、巻き方向の一方の端部である第１端部９を有する。第１端部９は、棒状部材を巻き始めるときに接触する側の端部である。
【００２４】
矢印４２は、包装シート１の幅方向を示す。本実施の形態においては、巻き方向と幅方向とが直交する。第１端部９は、幅方向のほぼ中央部に配置された第１突起部２を有する。突起部２は、巻き方向の外側に向かって飛び出すように形成されている。第１突起部２は、平面形状が山形になるように形成されている。
【００２５】
第１端部９は、第１突起部２の幅方向の両側に形成され、幅方向の外側に向かって傾斜しながら延びる第１テーパ部３を有する。第１テーパ部３は、第１湾曲部５を介して、第１突起部２と連通している。第１テーパ部３は、平面視したときに、ほぼＶ字型になるように形成されている。第１テーパ部３は、第１突起部２から矢印４３に示す巻き方向に沿って見たときに、包装シート１の幅が徐々に広くなるように形成されている。
【００２６】
第１端部９は、第１角部４を有する。第１角部４は、円弧状に形成されている。第１角部４は、先端が尖った角部とならないように形成されている。
【００２７】
包装シート１は、矢印４３に示す巻き方向の他方の端部である第２端部１９を有する。第２端部１９は、包装シート１を巻き終える側の端部である。
【００２８】
第２端部１９は、第２突起部１２を有する。第２突起部１２は、矢印４２に示す幅方向のほぼ中央部に配置されている。第２突起部１２は、巻き方向の外側に向かって飛び出すように形成されている。第２突起部１２は、平面形状が山形になるように形成されている。
【００２９】
第２端部１９は、第２突起部１２の幅方向の両側に形成され、幅方向の外側に向かって傾斜しながら延びる第２テーパ部１３を有する。第２テーパ部１３は、第２湾曲部１５を介して、第２突起部１２と連通している。第２テーパ部１３は、平面視したときに、ほぼＶ字型になるように形成されている。第２テーパ部１３は、第２突起部１２から矢印４３に示す巻き方向に沿って見たときに、包装シート１の幅が徐々に広くなるように形成されている。
【００３０】
第２端部１９は、第２角部１４を有する。第２角部１４は、円弧状に形成されている。第２角部１４は、先端が尖った角部とならないように形成されている。
【００３１】
図２に、本実施の形態における包装シートの拡大平面図を示す。第１突起部２は、幅方向の長さが、人の人差指の平均的な幅よりも長くなるように形成されている。第１突起部２は、縁の幅の長さＬ１が、ほぼ１０ｍｍ以上ほぼ２０ｍｍ以下になるように形成されている。
【００３２】
第２突起部１２は、幅方向の長さが、包装シート１を固定するときに用いる粘着テープの平均的な幅よりも太くなるように形成されている。第２突起部１２は、縁の幅の長さＬ２が、ほぼ２０ｍｍ以上ほぼ３０ｍｍ以下になるように形成されている。
【００３３】
第１テーパ部３は、矢印４２に示す幅方向に対する傾斜角度θ1が、１０度以上４５度以下になるように形成されている。第２テーパ部１３は、幅方向に対する傾斜角度θ2が、１０度以上４５度以下になるように形成されている。本実施の形態においては、傾斜角度θ1よりも傾斜角度θ2の方が大きくなるように形成されている。すなわち、第１テーパ部３よりも第２テーパ部１３の方が、傾きがきつくなるように形成されている。
【００３４】
図３に、棒状部材を包装シートで包装するときの第１工程説明図を示す。本実施の形態においては、棒状部材として、平坦な作業台に置いたときに転がる部材を用いている。本実施の形態においては、棒状部材として円柱状の部材を用いている。
【００３５】
初めに、包装シート１を平坦な作業台に配置する。次に、包装シート１の第１突起部２の表面に、棒状部材２１を配置する。第１突起部２を指などで押えながら、棒状部材２１を転がす。矢印４３に示すように、棒状部材２１の長手方向に垂直な方向に包装を行なっていく。
【００３６】
第１突起部２を指で押えたまま、第１突起部２が包装シート１の本体部１０と棒状部材２１とに挟まれるまで包装を継続する。第１突起部２が、棒状部材２１と本体部１０とに挟まれて固定されたら、第１突起部２を押えていた指を外しても構わない。
【００３７】
矢印４３に示すように引き続き棒状部材２１を転がしながら、包装を継続する。棒状部材２１を回転させることにより、棒状部材２１の周りに包装シート１を巻き付ける。本実施の形態においては、棒状部材２１を作業台の表面に押し付けながら転がすことにより、容易に包装シート１を巻き付けることができる。
【００３８】
図４に、棒状部材を包装シート包装するときの第２工程説明図を示す。棒状部材２１の回転を継続することにより、包装シート１の全てを、棒状部材２１に巻き付けることができる。巻き付けが完了したら、第２突起部１２と本体部１０とを、粘着テープ２２で固定する。
【００３９】
図１から図４を参照して、本実施の形態における包装シート１は、第１端部９に形成された第１突起部２を有する。この構成により、第１突起部２を指などで押えながら、容易に包装シート１の巻き付けを開始することができる。また、包装を始めるときに、包装シート１の第１角部が浮き上がることを抑制できる。したがって、第１端部９を本体部１０と棒状部材２１との間に容易に挟み込むことができる。または、包装シート１が棒状部材から浮いてしまったりすることを抑制できる。
【００４０】
本実施の形態においては、第１突起部２から幅方向の外側に向かって、第１テーパ部３が形成されている。この構成により、第１テーパ部３を棒状部材に密着させながら包装を行なうことができ、第１端部９の第１角部４が浮き上がることをより確実に抑制できる。
【００４１】
本実施の形態においては、第１突起部２と第１テーパ部３との間には、第１湾曲部５が形成されている。第１湾曲部５は、曲線状に形成されている。すなわち、第１突起部２と第１テーパ部３との間に角となる部分がないように形成されている。この構成により、第１突起部２と第１テーパ部との境界に力が加わって、この境界から包装シート１が破れてしまうことを抑制できる。
【００４２】
本実施の形態においては、第１角部４が円弧状に形成されている。この構成により、より確実に第１角部４が浮き上がってしまうことを抑制できる。
【００４３】
また、本実施の形態における第１突起部２は、縁の幅がほぼ１０ｍｍ以上ほぼ２０ｍｍ以下になるように形成されている。この構成により、第１突起部を指などで確実に押えることができる。また、第１突起部２の幅方向の長さが大き過ぎて、第１突起部の縁の角部が浮き上がることを抑制することができる。
【００４４】
本実施の形態は、第１突起部を指で押えながら、包装を行なっているが、特にこの形態に限られず、たとえば、棒状部材が大型のものである場合には、第１突起部を手の掌などで押えながら、包装を行なっても構わない。このときの第１突起部の縁の幅は、手の掌の平均的な大きさよりも大きく、第１突起部の縁の角部が浮き上がらない大きさであることが好ましい。
【００４５】
本実施の形態における包装シートは、第２端部１９に第２突起部１２が形成されていることにより、第２突起部１２の部分で、容易に固定を行なうことができる。本実施の形態においては、粘着テープ２２を用いて第２端部１９の固定を行なっているが、この形態に限られず、たとえば接着剤などを用いて、第２突起部１２を固定しても構わない。
【００４６】
第２端部１９は、第２テーパ部１３を有する。この構成により、第２端部１９を棒状部材２１に密着させることができ、第２端部の第２角部が浮き上がることを抑制できる。この結果、搬送中に第２角部が折れ曲がってしまったり、粘着テープ２２に沿って第２端部１９が破れてしまったりすることを抑制できる。
【００４７】
本実施の形態においては、第２突起部１２と第２テーパ部１３との間には、第２湾曲部１５が形成されている。第２湾曲部１５は、曲線状に形成されている。すなわち、第２突起部１２と第２テーパ部１３との間に角となる部分がないように形成されている。この構成により、第２突起部１２と第２テーパ部との境界に力が加わって、この境界から包装シート１が破れてしまうことを抑制できる。
【００４８】
本実施の形態においては、第２角部１４が円弧状に形成されている。この構成により、より確実に第２角部１４が浮き上がってしまうことを抑制できる。
【００４９】
また、本実施の形態における第２突起部は、縁の幅がほぼ２０ｍｍ以上ほぼ３０ｍｍ以下になるように形成されている。この構成により、汎用的な粘着テープで確実に固定することができる。また、第２突起部の縁の角が浮き上がることを抑制できる。
【００５０】
棒状部材として大型のものを包装するときは、第２突起部は、用いる粘着テープの幅に対応した幅を有することが好ましい。すなわち、第２突起部は、用いる粘着テープの幅よりも大きい幅を有し、第２突起部の縁の角部が浮き上がらない程度の大きさに形成されることが好ましい。
【００５１】
本実施の形態においては、第１突起部および第２突起部が、包装シートの端部に１個ずつ形成されているが、この形態に限られず、一の端部に突起部が２個以上形成されていてもよい。たとえば、第１端部に２個の第１突起部が形成されていても構わない。また、本実施の形態における包装シートは、第１突起部および第２突起部を有するが、特にこの形態に限られず、いずれか一方の突起部のみが形成されていても構わない。
【００５２】
本実施の形態においては、包装シートを紙で形成しているが、この形態に限られず、たとえばセロファンなどの任意の部材を用いることができる。包装シートは、薄膜状で湾曲可能なシートであればよい。
【００５３】
本実施の形態においては、被包装部材として円柱状の部材を用いているが、この形態に限られず、任意の形状の部材の包装シートに本願発明を適用することができる。たとえば、被包装部材として四角柱状の部材が用いられていても構わない。
【００５４】
上記の実施の形態に係るそれぞれの図面において、同一または相当する部分には、同一の符号を付している。
【００５５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５６】
【図１】実施の形態における包装シートの平面図である。
【図２】実施の形態における包装シートの拡大平面図である。
【図３】実施の形態における包装シートで棒状部材を包装するときの第１工程説明図である。
【図４】実施の形態における包装シートで棒状部材を包装するときの第２工程説明図である。
【図５】従来の技術に基づく包装シートの平面図である。
【図６】従来の技術に基づく包装シートで棒状部材を包装するときの第１工程説明図である。
【図７】従来の技術に基づく包装シートで棒状部材を包装するときの第２工程説明図である。
【符号の説明】
【００５７】
１  包装シート、２  第１突起部、３  第１テーパ部、４  第１角部、５  第１湾曲部、９  第１端部、１０  本体部、１２  第２突起部、１３  第２テーパ部、１４  第２角部、１５  第２湾曲部、１９  第２端部、２１  棒状部材、２２  粘着テープ、３１  包装シート、３２  第１角部、３３  第２角部、３４  第１端部、３５  第２端部、３９  指、４２，４３  矢印、θ１，θ２  傾斜角度、Ｌ１，Ｌ２  長さ。
【図１】
2007186238.tif 000003
【図２】
2007186238.tif 000004
【図３】
2007186238.tif 000005
【図４】
2007186238.tif 000006
【図５】
2007186238.tif 000007
【図６】
2007186238.tif 000008
【図７】
2007186238.tif 000009